(57)【特許請求の範囲】
【請求項１】
プリント用のメディアをプラテン上をＸ方向に移動させたり、そのプラテン上に搭載されたメディア上方をインクジェットヘッドをＹ方向に移動させたりしながら、そのインクジェットヘッドのノズルからインク滴を所定のタイミングで噴射させて、前記メディア表面に複数のインクのドットの配列からなる文字、線図、模様等をプリントするインクジェットプリンタのプラテンに付設されるプラテン延長具であって、
前記メディアを送り出す側に当たるプラテン前部の少なくとも一部をプラテン前方に長く延長させて、そのプラテン前方に送り出されるメディア部分を支持する支持腕と、
該支持腕をプラテン前部に装着する装着手段と
を持ち、
前記支持腕のメディア搭載面が、前方に向けて下方にほぼ円弧状に湾曲していて、前記装着手段により支持腕がプラテン前部に装着された状態において、支持腕のメディア搭載面がプラテンのメディア搭載面に下方に向けてほぼ円弧状に湾曲して連なる構造をしており、
前記装着手段が、前記支持腕をプラテン前部に離脱可能に装着する構造をしていることを特徴とするインクジェットプリンタのプラテン延長具。
【請求項２】
プリント用のメディアをプラテン上をＸ方向に移動させたり、そのプラテン上に搭載されたメディア上方をインクジェットヘッドをＹ方向に移動させたりしながら、そのインクジェットヘッドのノズルからインク滴を所定のタイミングで噴射させて、前記メディア表面に複数のインクのドットの配列からなる文字、線図、模様等をプリントするインクジェットプリンタのプラテンに付設されるプラテン延長具であって、
前記メディアを送り出す側に当たるプラテン前部の少なくとも一部をプラテン前方に長く延長させて、そのプラテン前方に送り出されるメディア部分を支持する第１支持腕と、
該第１支持腕をプラテン前部に装着する第１装着手段と、
前記メディアを送り込む側に当たるプラテン後部の少なくとも一部をプラテン後方に長く延長させて、そのプラテン後部に送り込むメディア部分を支持する第２支持腕と、
該第２支持腕をプラテン後部に装着する第２装着手段と
を持ち、
前記第１支持腕と第２支持腕のメディア搭載面が、ほぼ水平方向を向いていて、前記第１装着手段と第２装着手段とにより第１支持腕と第２支持腕とがプラテン前部とプラテン後部とに装着された状態において、その第１支持腕と第２支持腕のメディア搭載面がプラテンのメディア搭載面にほぼ水平に連なる構造をしていることを特徴とするインクジェットプリンタのプラテン延長具。
【請求項３】
第１装着手段又は第２装着手段が、第１支持腕又は第２支持腕をプラテン前部又はプラテン後部に離脱可能に装着する構造をしている請求項２記載のインクジェットプリンタのプラテン延長具。
【請求項４】
プリント用のメディアをプラテン上をＸ方向に移動させたり、そのプラテン上に搭載されたメディア上方をインクジェットヘッドをＹ方向に移動させたりしながら、そのインクジェットヘッドのノズルからインク滴を所定のタイミングで噴射させて、前記メディア表面に複数のインクのドットの配列からなる文字、線図、模様等をプリントするインクジェットプリンタのプラテンに付設されるプラテン延長具であって、
前記メディアを送り出す側に当たるプラテン前部の少なくとも一部をプラテン前方に長く延長させて、そのプラテン前方に送り出されるメディア部分を支持する支持腕と、
該支持腕をプラテン前部に装着する装着手段と
を持ち、
前記支持腕のメディア搭載面が、前方に向けて下方にほぼ円弧状に湾曲していて、前記装着手段により支持腕がプラテン前部に装着された状態において、支持腕のメディア搭載面がプラテンのメディア搭載面に下方に向けてほぼ円弧状に湾曲して連なる構造をしており、
前記支持腕のほぼ円弧状に下方に湾曲したメディア搭載面が形成された上端側とは反対側の支持腕の下端側に、ほぼ水平方向を向くメディア搭載面が形成されると共に、前記装着手段が上下に反転させた状態の支持腕をもプラテン前部又はプラテン後部に装着できる構造をしていて、その上下に反転させた状態の支持腕が、前記装着手段により、プラテン前部又はプラテン後部に装着された状態において、その支持腕の下端側に形成されたほぼ水平方向を向く前記メディア搭載面がプラテンのメディア搭載面にほぼ水平に連なる構造をしていることを特徴とするインクジェットプリンタのプラテン延長具。
【請求項５】
プリント用のメディアをプラテン上をＸ方向に移動させたり、そのプラテン上に搭載されたメディア上方をインクジェットヘッドをＹ方向に移動させたりしながら、そのインクジェットヘッドのノズルからインク滴を所定のタイミングで噴射させて、前記メディア表面に複数のインクのドットの配列からなる文字、線図、模様等をプリントするインクジェットプリンタであって、
プラテンと、
請求項１から４のいずれかに記載のインクジェットプリンタのプラテン延長具と
を備えることを特徴とするインクジェットプリンタ。
【発明の詳細な説明】
【０００１】
【発明の属する技術分野】
本発明は、プリント用のメディアを搭載するプラテンをその前方に長く延長させたり、その後方に長く延長させたりするための、インクジェットプリンタのプラテン延長具に関する。
【０００２】
【従来の技術】
ほぼ逆樋状をしたプラテン上をシート等のメティアをＸ方向に移動させたり、そのプラテン上に搭載されたメディア上方をインクジェットヘッドをＹ方向に移動させたりしながら、そのインクジェットヘッド下面に並ぶノズルからインク滴を所定のタイミングで噴射させる、ぺーパームービングタイプのプリンタが周知である。
このインクジェットプリンタによれば、プラテン上をＸ方向に移動させるメディアのＸ方向に複数のインクのドットの配列からなる、文字、線図、模様等を連続してプリントできる。
【０００３】
このペーパームービングタイプのインクジェットプリンタを用いて、図５に示したような、ロール状に長く巻かれた帯状のメディア２０表面のＸ方向に文字、線図、模様等を連続してプリントした場合には、そのプラテン１０前方に長く送り出されたメディア２０前端の重力を受けて、プラテン１０上のメディア２０部分が、プラテン１０上方に浮き上がってしまった。そして、そのメディア２０部分がインクジェットヘッド３０下面に並ぶノズル３２に接触してしまった。そして、そのメディア２０部分に、インクジェットヘッドのノズル３２のインクが付着してしまった。そして、そのメディア２０部分がインクで汚れて、その体裁が損なわれてしまった。
このように、プラテン１０上のメディア２０が、プラテン１０上方に浮き上がる理由は、プラテン１０前方に長く延出して下方に向けて垂れ下がった状態となるメディア２０前端の重力を受けて、そのメディア２０前端に連なる腰のあるプラテン１０上に位置するメディア２０部分が、プラテン１０上方に円弧状に湾曲して上方に浮き上がるためである。
【０００４】
このような課題を解消するために、図６に示したような、インクジェットプリンタが開発されている。
このプリンタでは、インクジェットヘッド３０の移動経路の直下のプラテン１０部分に、多数の小穴１２が並べて開口されている。それと共に、その多数の小穴１２を通してプラテン１０の表面側の空気をプラテン１０の内側に吸引し続ける吸引ファン等からなる吸引手段１８が備えられている。
このプリンタにおいては、吸引手段１８により、プラテン１０表面側の空気を、多数の小穴１２を通して、プラテン１０内側に吸引し続けることができる。そして、その多数の小穴１２が開口されたプラテン１０上に位置するメディア２０部分を、そのインクジェットヘッド３０の移動経路直下のプラテン１０上に、大気圧を利用して、隙間なく密着させることができる。そして、そのインクジェットヘッド３０の移動経路直下に位置するメディア２０部分が、プラテン１０上方に浮き上がってインクジェットヘッド３０下面に並ぶノズル３２と接触し、そのメディア２０部分がインクで汚れてしまうのを防ぐことができる。
しかしながら、このような方式のプリンタにおいても、メディア２０の腰が強いと、プラテン１０前方に送り出されて下方に垂れ下がった状態のメディア２０前端の重力を受けて、そのメディア２０前端に連なるプラテン１０上のメディア２０部分が、プラテン１０上方に円弧状に湾曲して浮き上がってしまった。そして、そのメディア２０部分にインクジェットヘッド３０下面に並ぶノズル３２が接触し、そのメディア２０部分がインクで汚れてしまった。
【０００５】
これと同様なことは、図７に示したような、発砲スチロール樹脂等からなる厚手の板状のメディア２０表面に文字、線図、模様等をＸ方向に連続してプリントする場合においても、言えた。
即ち、この場合においても、厚い板状のメディア２０をプラテン１０上をＸ方向に移動させて、その厚手のメディア２０前端をプラテン１０前方にほぼ水平に長く延出させた場合には、そのプラテン１０前方に長く延出したメディア２０前端の重力を受けて、そのメディア２０前端に連なるプラテン１０上に位置するメディア２０部分が、平らな状態を保ったまま、プラテン１０上をメディア２０をＸ方向に送る送りローラ１５と押えローラ１６との間に挟まれたメディア２０部分を中心に、プラテン１０前方に傾く等して、プラテン１０上方に浮き上がってしまった。そして、そのメディア２０部分がインクジェットヘッド３０下面に並ぶノズル３２に接触し、そのメディア２０部分がインクで汚れてしまった。
同様にして、プラテン１０上に送り込まれる厚手の板状をしたメディア２０後端が、図７に示したように、プラテン１０後方にほぼ水平に長く延出した状態にあると、そのメディア２０後端の重力を受けて、そのメディア２０後端に連なるプラテン１０上のメディア２０部分が、平らな状態を保ったまま、プラテン１０上をメディア２０をＸ方向に送る送りローラ１５と押えローラ１６との間に挟まれたメディア２０部分を中心に、プラテン１０後方に傾く等して、プラテン１０上方に浮き上がってしまった。そして、そのメディア２０部分がインクジェットヘッド３０下面に並ぶノズル３２に接触し、そのメディア２０部分がインクで汚れてしまった。
【０００６】
このように、プラテン１０後方又はプラテン１０前方に長く延出したメディア２０前端又はメディア２０後端の重力を受けて、プラテン１０上に位置するメディア２０部分が、プラテン１０上方に浮き上がり、インクジェットヘッド３０下面に並ぶノズル３２に接触するのを防ぐためには、プラテン１０をその前方や後方に長く延出させて、そのプラテン１０前部やプラテン１０後部にメディア２０前端やメディア２０後端を長く支持すれば良いことが、従来より、知られている。
しかしながら、そのようにした場合には、プラテン１０の前後幅が広くなって、インクジェットプリンタが大型化してしまう。そして、ペーパームービングタイプのプリンタの最大利点である、プリンタの前後幅のコンパクト化を図れなくなってしまう。
【０００７】
そこで、本発明者は、プラテン１０前方又はプラテン１０後方に長く延出したメディア２０前端又はメディア２０後端を支持するプラテン延長具をプラテン１０前部又はプラテン１０後部にオプションとして着脱自在に備えれば、そのプラテン１０前方又はプラテン１０後方に長く延出したメディア２０前端又はメディア２０後端をプラテン延長具により長く支持できることに、想到した。そして、そのメディア２０前端又はメディア２０後端に連なるプラテン１０上のメディア２０部分がプラテン１０上方に浮き上がるのを、防ぐことができることに、想到した。そして、そのプラテン１０上のメディア２０部分がインクジェットヘッド３０下面に並ぶノズル３２に接触して、そのメディア２０部分がインクで汚れるのを、防ぐことができることに、想到した。
また、そのメディア延長具が不要となった際には、そのメディア延長具をプラテン１０前部又はプラテン１０後部から取り外して、プリンタの前後幅のコンパクト化を図ることができることに、想到した。
【０００８】
即ち、本発明は、プラテン前部又はプラテン後部に装着して、プラテン前方又はプラテン後方に長く延出したメディア前端又はメディア後端を支持するための、プラテン延長具であって、プラテン前方又はプラテン後方に長く延出したメディア前端又はメディア後端に加わる重力を受けて、プラテン上のメディア部分がプラテン上方に湾曲等して浮き上がるのを防ぐことのできる、プラテン延長具を提供することを目的としている。
【０００９】
【課題を解決するための手段】
上記の目的を達成するために、本発明の第１のプラテン延長具は、プリント用のメディアをプラテン上をＸ方向に移動させたり、そのプラテン上に搭載されたメディア上方をインクジェットヘッドをＹ方向に移動させたりしながら、そのインクジェットヘッドのノズルからインク滴を所定のタイミングで噴射させて、前記メディア表面に複数のインクのドットの配列からなる文字、線図、模様等をプリントするインクジェットプリンタのプラテンに付設されるプラテン延長具であって、
前記メディアを送り出す側に当たるプラテン前部の少なくとも一部をプラテン前方に長く延長させて、そのプラテン前方に送り出されるメディア部分を支持する支持腕と、該支持腕をプラテン前部に装着する装着手段とを持ち、
前記支持腕のメディア搭載面が、前方に向けて下方にほぼ円弧状に湾曲していて、前記装着手段により支持腕がプラテン前部に装着された状態において、支持腕のメディア搭載面がプラテンのメディア搭載面に下方に向けてほぼ円弧状に湾曲して連なる構造をしていることを特徴としている。
【００１０】
この第１のインクジェットプリンタのプラテン延長具においては、プラテン前方に送り出されるメディア前端を支持する支持腕を、装着手段を用いて、プラテン前部に装着できる。そして、その支持腕により、メディアを送り出す側に当たるプラテン前部の少なくとも一部をプラテン前方に長く延長させることができる。そして、その支持腕の前方に向けて下方にほぼ円弧状に湾曲したメディア搭載面に沿って、プラテン前方に長く延出したメディア前端を無理のないゆるやかなほぼ円弧状に下方に湾曲させて支持できる。
そのために、そのプラテン前方に長く延出したメディア前端の重力を受けて、そのメディア前端に連なるプラテン上のメディア部分が、円弧状に上方に湾曲等して浮き上がるのを、防ぐことができる。そして、そのメディア部分が、インクジェットヘッド下面に並ぶノズルに接触して、インクで汚れるのを、防ぐことができる。
なお、プラテン前方に長く延出したメディア前端を、支持腕の下方に極端に屈曲角度大きくほぼ円弧状に湾曲したメディア搭載面に沿って支持した場合には、プラテン前方に長く延出したメディア前端を、支持腕がない状態とほぼ同じ状態で屈曲角度大きく下方にほぼ円弧状に湾曲させてプラテン前方に支持することとなってしまうので、注意を要する。そして、プラテン前部に支持腕を装着した意味がなくなってしまうので、注意を要する。即ち、支持腕のメディア搭載面は、メディアの腰の強さ等に応じて、支持腕の下方に向けてなだらかなほぼ円弧状を描くように形成する必要がある。
この第１のプラテン延長具は、ロール状に長く巻かれた薄い帯状のメディア表面のＸ方向に文字、線図、模様等を連続してプリントする場合に、有効に作用する。
【００１１】
本発明の第２のメディア延長具は、プリント用のメディアをプラテン上をＸ方向に移動させたり、そのプラテン上に搭載されたメディア上方をインクジェットヘッドをＹ方向に移動させたりしながら、そのインクジェットヘッドのノズルからインク滴を所定のタイミングで噴射させて、前記メディア表面に複数のインクのドットの配列からなる文字、線図、模様等をプリントするインクジェットプリンタのプラテンに付設されるプラテン延長具であって、
前記メディアを送り出す側に当たるプラテン前部の少なくとも一部をプラテン前方に長く延長させて、そのプラテン前方に送り出されるメディア部分を支持する第１支持腕と、該第１支持腕をプラテン前部に装着する第１装着手段と、前記メディアを送り込む側に当たるプラテン後部の少なくとも一部をプラテン後方に長く延長させて、そのプラテン後部に送り込むメディア部分を支持する第２支持腕と、該第２支持腕をプラテン後部に装着する第２装着手段とを持ち、
前記第１支持腕と第２支持腕のメディア搭載面が、ほぼ水平方向を向いていて、前記第１装着手段と第２装着手段とにより第１支持腕と第２支持腕とがプラテン前部とプラテン後部とに装着された状態において、その第１支持腕と第２支持腕のメディア搭載面がプラテンのメディア搭載面にほぼ水平に連なる構造をしていることを特徴としている。
【００１２】
この第２のプラテン延長具においては、プラテン前方に送り出されるメディア前端を支持する第１支持腕を、第１装着手段を用いて、プラテン前部に装着できる。そして、その第１支持腕により、メディアを送り出す側に当たるプラテン前部の少なくとも一部をプラテン前方に長く延長させることができる。そして、その第１支持腕のほぼ水平方向を向くメディア搭載面に沿って、プラテン前方に長く延出したメディア前端を支持できる。
同様にして、プラテン後方から送り込むメディア後端を支持する第２支持腕を、第２装着手段を用いて、プラテン後部に装着できる。そして、その第２支持腕により、メディアを送り込む側に当たるプラテン後部の少なくとも一部をプラテン後方に長く延長させることができる。そして、その第２支持腕のほぼ水平方向を向くメディア搭載面に沿って、プラテン後方に長く延出したメディア後端を支持できる。
そのために、そのプラテン前方又はプラテン後方にほぼ水平方向に向けて長く延出したメディア前端又はメディア後端の重力を受けて、そのメディア前端又はメディア後端に連なるプラテン上のメディア部分が、プラテン前方又はプラテン後方に傾いて、プラテン上方に浮き上がるのを、防ぐことができる。そして、そのメディア部分が、インクジェットヘッド下面に並ぶノズルに接触して、インクで汚れるのを、防ぐことができる。
この第２のプラテン延長具は、厚い板状をしたメディア表面のＸ方向に文字、線図、模様等を連続してプリントする場合に、有効に作用する。
【００１３】
本発明の第１又は第２のプラテン延長具においては、前記装着手段、第１装着手段又は第２装着手段が、前記支持腕、第１支持腕又は第２支持腕をプラテン前部又はプラテン後部に離脱可能に装着する構造をしていることを好適としている。
【００１４】
この第１又は第２のインクジェットプリンタのプラテン延長具にあっては、必要のない場合には、装着手段によりプラテン前部に装着された支持腕を、プラテンから離脱させることができる。同様にして、第１装着手段又は第２装着手段によりプラテン前部又はプラテン後部に装着された第１支持腕又は第２支持腕を、プラテン前部又はプラテン後部から離脱させることができる。そして、そのプラテン前部又はプラテン後部に支持腕、第１支持腕又は第２支持腕が装着されていない状態として、プリンタの前後幅のコンパクト化を図ることができる。
逆に、支持腕、第１支持腕又は第２支持腕が必要となった場合には、その支持腕、第１支持腕又は第２支持腕を、装着手段、第１装着手段又は第２装着手段を用いて、プラテン前部又はプラテン後部に装着し直すことができる。
【００１５】
本発明の第１のプラテン延長具においては、前記支持腕のほぼ円弧状に下方に湾曲したメディア搭載面が形成された上端側とは反対側の支持腕の下端側に、ほぼ水平方向を向くメディア搭載面が形成されると共に、前記装着手段が上下に反転させた状態の支持腕をもプラテン前部又はプラテン後部に装着できる構造をしていて、その上下に反転させた状態の支持腕が、前記装着手段により、プラテン前部又はプラテン後部に装着された状態において、その支持腕の下端側に形成されたほぼ水平方向を向く前記メディア搭載面がプラテンのメディア搭載面にほぼ水平に連なる構造をしていることを好適としている。
【００１６】
この第１のプラテン延長具にあっては、支持腕のほぼ円弧状に下方に湾曲したメディア搭載面が形成された上端側を上方に向けて、装着手段により、その支持腕をプラテン前部に装着できる。そして、その支持腕により、メディアを送り出す側に当たるプラテン前部の少なくとも一部をプラテン前方に長く延長させることができる。そして、その支持腕の前方に向けて下方にほぼ円弧状に湾曲したメディア搭載面に沿って、プラテン前方に長く延出したメディア前端を支持できる。
又は、支持腕を上下に反転させた状態として、その支持腕の下端側に形成されたほぼ水平方向を向くメディア搭載面を上方に向けて、装着手段により、その支持腕をプラテン前部又はプラテン後部に装着できる。そして、その支持腕により、メディアを送り出す側に当たるプラテン前部の少なくとも一部をほぼ水平方向に向けてプラテン前方に長く延長させたり、メディアを送り込む側に当たるプラテン後部の少なくとも一部をプラテン後方に長く延長させたりできる。そして、その支持腕により、プラテン前方又はプラテン後方にほぼ水平方向に向けて長く延出したメディア前端又は後端を支持できる。
そのために、本発明の第１のプラテン延長具を、本発明の第２のプラテン延長具に兼用することが、可能となる。
【００１７】
【発明の実施の形態】
図１と図２は本発明の第１のプラテン支持具の好適な実施の形態を示し、図１はその使用状態を示す側面断面図、図２はその使用状態を示す一部正面図である。以下に、この第１のプラテン支持具を説明する。
【００１８】
図の第１のプラテン支持具は、メディア２０を送り出す側に当たるプラテン１０前部の一部をプラテン１０前方に長く延長させて、そのプラテン１０前方に送り出されるメディア２０部分を支持する支持腕１００と、該支持腕をプラテン１０前部に装着する装着手段１１０とを持っている。
支持腕１００は、プラテン１０前端の横幅の数分の１の細幅に形成されている。装着手段１１０は、図１に示したように、支持腕１００後部の上端に延設された引っかけ腕１１２と、支持腕１００後部の下端に延設された引っかけ腕１１４とから構成されている。そして、その上部の引っかけ腕１１２を、プラテン１０前部の上端に開口された引っかけ穴１１に挿入して、プラテン１０前部に引っかけることができるように構成されている。それと共に、その下部の引っかけ腕１１４を、プラテン１０前部の下端に開口された引っかけ穴１３に挿入して、プラテン１０前部に引っかけることができるように構成されている。そして、それらの引っかけ腕１１２、１１４により、支持腕１００を、プラテン１０前部に動かぬように装着できるように構成されている。
支持腕のメディア搭載面１０２は、図１に示したように、前方に向けてゆるやかに下方にほぼ円弧状に湾曲していて、装着手段１１０により支持腕１００がプラテン１０前部に装着された状態において、支持腕のメディア搭載面１０２が、プラテン前部のメディア搭載面１４に凹凸なくゆるやかに下方に向けてほぼ円弧状に湾曲して連なる構造をしている。
【００１９】
図１と図２に示した第１のプラテン延長具は、以上のように構成されていて、この第１のプラテン延長具においては、図２に示したように、プラテン１０前方に送り出されるメディア２０前端を支持する薄い厚さの複数の支持腕１００を、装着手段１１０を用いて、プラテン１０前部に所定間隔ずつあけて並べ装着できる。そして、その複数の支持腕１００により、メディア２０を送り出す側に当たるプラテン１０前部の一部をプラテン１０前方に長く延長させることができる。そして、その支持腕１００の前方に向けてゆるやかに下方にほぼ円弧状に湾曲したメディア搭載面１０２に沿って、プラテン１０前方に長く延出したメディア２０前端をゆるやかに下方にほぼ円弧状に湾曲させた状態に支持できる。
そのために、そのプラテン１０前方に長く延出したメディア２０前端の重力を受けて、そのメディア２０前端に連なるプラテン１０上のメディア２０部分が、円弧状に湾曲等してプラテン１０上方に浮き上がるのを、防ぐことができる。そして、そのメディア２０部分が、インクジェットヘッド３０下面に並ぶノズル３２に接触して、インクで汚れるのを、防ぐことができる。
なお、プラテン１０前方に長く延出したメディア２０前端を、支持腕１００の下方に極端に屈曲角度大きくほぼ円弧状に湾曲したメディア搭載面１０２に沿って支持した場合には、プラテン１０前方に長く延出したメディア２０前端を、支持腕１００がない状態とほぼ同じ状態で、屈曲角度大きく下方にほぼ円弧状に湾曲させてプラテン１０前方に支持することとなってしまうので、注意を要する。そして、プラテン１０前部に支持腕１００を装着した意味がなくなってしまうので、注意を要する。即ち、支持腕のメディア搭載面１０２は、メディア２０の腰の強さ等に応じて、支持腕１００の下方に向けてなだらかなほぼ円弧状を描くように形成する必要がある。
この第１のプラテン延長具は、図１に示したような、ロール状に長く巻かれた薄い帯状のメディア２０表面のＸ方向に文字、線図、模様等を連続してプリントする場合に、有効に作用する。
【００２０】
この第１のプラテン延長具においては、支持腕１００の横幅を、広く形成して、その支持腕１００を、装着手段１１０により、プラテン１０前部に連続して長く装着できるようにしても良い。
その場合には、その横幅の広い支持腕１００を１個、プラテン１０前部に装着するのみで、そのプラテン１０前方に長く延出したメディア２０前端を幅広く的確に支持できる。
【００２１】
図３と図４は本発明の第２のプラテン支持具の好適な実施の形態を示し、図３はその使用状態を示す側面断面図、図４はその使用状態を示す一部正面図である。以下に、この第２のプラテン支持具を説明する。
【００２２】
この第２のメディア延長具は、メディア２０を送り出す側に当たるプラテン１０前部の一部をプラテン１０前方に長く延長させて、そのプラテン１０前方に送り出されるメディア２０部分を支持する第１支持腕１０１と、該第１支持腕をプラテン１０前部に装着する第１装着手段１１１と、メディア２０を送り込む側に当たるプラテン１０後部の一部をプラテン１０後方に長く延長させて、そのプラテン１０後部に送り込むメディア２０後端を支持する第２支持腕１０３と、該第２支持腕をプラテン１０後部に装着する第２装着手段１１３とを持っている。
第１支持腕１０１と第２支持腕１０３とは、プラテン１０前端の横幅の数分の１の細幅に形成されている。第１装着手段１１１と第２装着手段１１３とは、図３に示したように、第１支持腕１０１又は第２支持腕１０３後部の上端に延設された引っかけ腕１１２と、第１支持腕１０１又は第２支持腕１０３後部の下端に延設された引っかけ腕１１４とから構成されている。そして、その上部の引っかけ腕１１２を、プラテン１０前部又はプラテン１０後部の上端に開口された引っかけ穴１１に挿入して、プラテン１０前部又はプラテン１０後部に引っかけることができるように構成されている。それと共に、その下部の引っかけ腕１１４を、プラテン１０前部又はプラテン１０後部の下端に開口された引っかけ穴１３に挿入して、プラテン１０前部又はプラテン１０後部に引っかけることができるように構成されている。そして、それらの引っかけ腕１１２、１１４により、第１支持腕１０１と第２支持腕１０３とを、プラテン１０前部とプラテン１０後部とに動かぬように装着できるように構成されている。
第１支持腕１０１と第２支持腕１０３のメディア搭載面１０４は、ほぼ水平方向を向いていて、第１装着手段１１１と第２装着手段１１３とにより第１支持腕１０１と第２支持腕１０３とがプラテン１０前部とプラテン１０後部とに装着された状態において、その第１支持腕１０１と第２支持腕１０３のメディア搭載面１０４が、プラテンのメディア搭載面１４にほぼ水平に連なる構造をしている。
【００２３】
図３と図４に示した第２のプラテン延長具は、以上のように構成されていて、この第２のプラテン延長具においては、プラテン１０前方に送り出されるメディア２０前端を支持する横幅の狭い複数の第１支持腕１０１を、第１装着手段１１１を用いて、プラテン１０前部に所定間隔ずつあけて並べて装着できる。そして、その複数の第１支持腕１０１により、メディア２０を送り出す側に当たるプラテン１０前部の一部をプラテン１０前方に長く延長させることができる。そして、その第１支持腕１０１のほぼ水平方向を向くメディア搭載面１０４に沿って、プラテン１０前方に長く延出したメディア２０前端を支持できる。
同様にして、プラテン１０後方から送り込むメディア２０後端を支持する横幅の狭い複数の第２支持腕１０３を、第２装着手段１１３を用いて、プラテン１０後部に所定間隔ずつあけて並べて装着できる。そして、その複数の第２支持腕１０３により、メディア２０を送り込む側に当たるプラテン１０後部の一部をプラテン１０後方に長く延長させることができる。そして、その第２支持腕１０３のほぼ水平方向を向くメディア搭載面１０４に沿って、プラテン１０後方に長く延出したメディア２０後端を支持できる。
そのために、そのプラテン１０前方又はプラテン１０後方にほぼ水平方向に向けて長く延出したメディア２０前端又はメディア２０後端の重力を受けて、そのメディア２０前端又はメディア２０後端に連なるプラテン１０上のメディア２０部分が、平らな状態を保ったまま、プラテン１０上をメディア２０をＸ方向に送る送りローラ１５と押えローラ１６との間に挟まれたメディア２０部分を中心に、プラテン１０の一方の側に傾いて、プラテン１０上方に浮き上がるのを、防ぐことができる。そして、そのメディア２０部分が、インクジェットヘッド３０下面に並ぶノズル３２に接触して、インクで汚れるのを、防ぐことができる。
この第２のプラテン延長具は、図３に示したような、厚い板状をしたメディア２０表面のＸ方向に文字、線図、模様等を連続してプリントする場合に、有効に作用する。
【００２４】
この第２のプラテン延長具においても、第１支持腕１０１又は第２支持腕１０３の横幅を、広く形成して、その第１支持腕１０１又は第２支持腕１０３を、第２装着手段１１１又は第２装着手段１１３により、プラテン１０前部又はプラテン１０後部に連続して長く装着できるようにしても良い。
その場合には、その横幅の広い第１支持腕１０１又は第２支持腕１０３を１個、プラテン１０前部又はプラテン１０後部に装着するのみで、そのプラテン１０前方又はプラテン１０後方に長く延出したメディア２０前端又はメディア２０後端を幅広く的確に支持できる。
【００２５】
図１と図２に示した第１のプラテン延長具、又は図３と図４に示した第２のプラテン延長具においては、その装着手段１１０、第１装着手段１１１又は第２装着手段１１３を、支持腕１００、第１支持腕１０１又は第２支持腕１０３をプラテン１０前部又はプラテン１０後部に離脱可能に装着する構造とすると良い。
具体的には、例えば図１又は図３に示したように、支持腕１００、第１支持腕１０１又は第２支持腕１０３後部の上端に延設された引っかけ腕１１２を、横方向を向くＴ字状に形成すると良い。そして、その引っかけ腕１１２を、プラテン１０前部又はプラテン１０後部の上端に開口された引っかけ穴１１に挿入して、プラテン１０前部又はプラテン１０後部に引っかけることができるように構成すると良い。同様にして、支持腕１００、第１支持腕１０１又は第２支持腕１０３後部の下端に延設された引っかけ腕１１４も、同じく横方向を向くＴ字状に形成すると良い。そして、その引っかけ腕１１４を、プラテン１０前部又はプラテン１０後部の下端に開口された引っかけ穴１３に挿入して、プラテン１０前部又はプラテン１０後部に引っかけることができるように構成すると良い。そして、それらの引っかけ腕１１２、１１４により、支持腕１００、第１支持腕１０１又は第２支持腕１０３を、プラテン１０前部又はプラテン１０後部に動かぬように着脱可能に装着できるようにすると良い。
【００２６】
その場合には、装着手段１１０、第１装着手段１１１又は第２装着手段１１３によりプラテン１０前部又はプラテン１０後部に装着された支持腕１００、第１支持腕１０１又は第２支持腕１０３を、必要のない場合には、プラテン１０から離脱させることができる。そして、そのプラテン１０前部又はプラテン１０後部に支持腕１００、第１支持腕１０１又は第２支持腕１０３が装着されていない状態として、プリンタの前後幅のコンパクト化を図ることができる。
逆に、支持腕１００、第１支持腕１０１又は第２支持腕１０３が必要となった場合には、その支持腕１００、第１支持腕１０１又は第２支持腕１０３を、装着手段１１０、第１装着手段１１１又は第２装着手段１１３を用いて、プラテン１０前部又はプラテン１０後部に装着し直すことができる。
【００２７】
場合によっては、支持腕１００、第１支持腕１０１又は第２支持腕１０３を、ねじ等からなる装着手段１１０、第１装着手段１１１又は第２装着手段１１３により、プラテン１０前部又はプラテン１０後部に容易に離脱させることができないように強固に装着しても、勿論良い。
【００２８】
図１と図２に示した第１のプラテン延長具においては、同じ図１に示したように、支持腕１００のほぼ円弧状に下方に湾曲したメディア搭載面１０２が形成された上端側とは反対側の支持腕１００の下端側に、ほぼ水平方向を向くメディア搭載面１０４を形成しても良い。それと共に、装着手段１１０を、上下に反転させた状態の支持腕１００をも、プラテン１０前部又はプラテン１０後部に装着できる構造に形成しても良い。そして、その上下に反転させた状態の支持腕１００を、装着手段１１０により、プラテン１０前部又はプラテン１０後部に装着した状態において、その支持腕１００の下端側に形成されたほぼ水平方向を向くメディア搭載面１０４がプラテンのメディア搭載面１４に凹凸少なくほぼ水平に連なる構造としても良い。
装着手段１１０を、上下に反転させた状態のをもプラテン１０前部に装着できる構造に形成するには、例えば図１に示したように、支持腕１００後部の上端に延設された引っかけ腕１１２と、支持腕１００後部の下端に延設された引っかけ腕１１４とを、支持腕１００のほぼ中央部を対称軸として、互いに横方向を向く同一形状のＴ字状に形成すると良い。そして、その一方の引っかけ腕１１２又は引っかけ腕１１４を、プラテン１０前部の上端に開口された引っかけ穴１１に挿入して、プラテン１０前部又はプラテン１０後部に引っかけることができるように構成すると良い。それと共に、その他方の引っかけ腕１１４又は引っかけ腕１１２を、プラテン１０前部の下端に開口された引っかけ穴１３に挿入して、プラテン１０前部又はプラテン１０後部に引っかけることができるように構成すると良い。そして、それらの引っかけ腕１１２、１１４により、支持腕１００を、上下に反転させても、プラテン１０前部又はプラテン１０後部に装着できるようにすると良い。
【００２９】
その場合には、図１に示したように、支持腕１００のほぼ円弧状に下方に湾曲したメディア搭載面１０２が形成された上端側を上方に向けて、装着手段１１０により、その支持腕１００をプラテン１０前部に装着できる。そして、その支持腕１００により、メディア２０を送り出す側に当たるプラテン１０前部をプラテン１０前方に長く延長させることができる。そして、その支持腕１００の前方に向けて下方にほぼ円弧状に湾曲したメディア搭載面１０２に沿って、プラテン１０前方に長く延出したメディア２０前端を支持できる。
又は、支持腕１００を上下に反転させた状態として、その支持腕１００の下端側に形成されたほぼ水平方向を向くメディア搭載面１０４を上方に向けて、装着手段１１０により、その支持腕１００をプラテン１０前部又はプラテン１０後部に装着できる。そして、その支持腕１００により、メディア２０を送り出す側に当たるプラテン１０前部をほぼ水平方向に向けてプラテン１０前方に長く延長させたり、メディア２０を送り込む側に当たるプラテン１０後部をほぼ水平方向に向けてプラテン１０後方に長く延長させたりできる。そして、その支持腕１００により、プラテン１０前方又はプラテン１０後方にほぼ水平方向に向けて長く延出したメディア２０前端又はメディア２０後端を支持できる。
そのために、その第１のプラテン延長具を、第２のプラテン延長具にも、兼用することが、可能となる。
【００３０】
【発明の効果】
以上説明したように、本発明の第１又は第２のプラテン延長具によれば、プラテン前方又はプラテン後方に長く延出したメディア前端又はメディア後端を、ゆるやかに下方にほぼ円弧状に湾曲させた状態で、又はほぼ水平に向けた状態で、的確に支持できる。そして、プラテン前方又はプラテン後方に長く延出したメディア前端又はメディア後端の重力を受けて、そのメディア前端又はメディア後端に連なるプラテン上のメディア部分が、プラテン上方に浮き上がるのを、確実に防ぐことができる。そして、そのプラテン上方に浮き上がったメディア部分が、インクジェットヘッド下面に並ぶノズルと接触して、インクで汚れるのを、確実に防ぐことが可能となる。
【図面の簡単な説明】
【図１】本発明の第１のプラテン延長具の使用状態を示す側面断面である。
【図２】本発明の第１のプラテン延長具の使用状態を示す一部正面面である。
【図３】本発明の第２のプラテン延長具の使用状態を示す側面断面である。
【図４】本発明の第２のプラテン延長具の使用状態を示す一部正面面である。
【図５】インクジェットプリンタの使用状態を示す側面断面図である。
【図６】インクジェットプリンタの使用状態を示す側面断面図である。
【図７】インクジェットプリンタの使用状態を示す側面断面図である。
【符号の説明】
１０  プラテン
１２  小穴
１４  プラテンのメディア搭載面
２０  メディア
３０  インクジェットヘッド
３２  ノズル
１００  支持腕
１０１  第１支持腕
１０２  支持腕のメディア搭載面
１０３  第２支持腕
１０４  第１支持腕又は第２支持腕のメディア搭載面
１１０  装着手段
１１１  第１装着手段
１１３  第２装着手段
【図１】
0004460186.tif 000002
【図２】
0004460186.tif 000003
【図３】
0004460186.tif 000004
【図４】
0004460186.tif 000005
【図５】
0004460186.tif 000006
【図６】
0004460186.tif 000007
【図７】
0004460186.tif 000008